(57)【要約】【課題】スポット光を可視範囲内に発生することがない照明計器を提供する。【解決手段】アウタケース２内の表面側に計器１の文字板５および指針１０が配設されて、この指針１０の外周に目盛部１１ａが形成された目盛部材１１を配設すると共に、この目盛部材１１の下端面から円周方向に向けて導光するように光源８ａを構成した照明計器において、目盛部材１１には、目盛部１１ａの裏面外周に沿って外方に突き出され、かつ略円弧状に繋がれたリブ１１ｂが形成され、この略円弧状のリブ１１ｂに結合されることにより、文字板５と目盛部材１１とを固定する構造部材１２が設けられ、この構造部材１２は、目盛部（１１ａ）の外方に突き出された略円弧状のリブ１１ｂを包含するように形成されている。これにより、スポット光を可視範囲内に発生することがない。【選択図】図１
2010078321.tif 000002
【特許請求の範囲】
【請求項１】
メータケース（２）内の表面側に計器（１）の文字板（５）および指針（１０）が配設されて、前記指針（１０）の外周に目盛部（１１ａ）が形成された目盛部材（１１）を配設すると共に、前記目盛部材（１１）の下端面から円周方向に向けて導光するように光源（８ｂ）を構成した照明計器において、
前記目盛部材（１１）には、前記目盛部（１１ａ）の裏面外周に沿って外方に突き出され、かつ略円弧状に繋がれたリブ（１１ｂ）が形成され、
前記略円弧状のリブ（１１ｂ）に結合されることにより、前記文字板（５）と前記目盛部材（１１）とを固定する構造部材（１２）が設けられ、
前記構造部材（１２）は、前記目盛部（１１ａ）の外方に突き出された前記略円弧状のリブ（１１ｂ）を包含するように形成されていることを特徴とする照明計器。
【請求項２】
前記目盛部材（１１）および前記構造部材（１２）は、ともに樹脂材で形成され、かつ前記略円弧状のリブ（１１ｂ）を介して溶着接合されることを特徴とする請求項１に記載の照明計器。
【請求項３】
前記目盛部材（１１）および前記構造部材（１２）は、ともに樹脂材で形成され、かつ前記略円弧状のリブ（１１ｂ）を介して前記目盛部（１１ａ）と前記文字板（５）との位置決めができることを特徴とする請求項１に記載の照明計器。
【請求項４】
前記目盛部材（１１）は、全体形状が環状に形成されていることを特徴とする請求項１乃至請求項３のいずれか一項に記載の照明計器。
【請求項５】
前記目盛部材（１１）は、全体形状が略馬蹄形状に形成されていることを特徴とする請求項１乃至請求項３のいずれか一項に記載の照明計器。
【発明の詳細な説明】
【技術分野】
【０００１】
本発明は、例えば、自動車に搭載される計器に関するものであり、特に、目盛部材の端面から導光させて目盛部を照明する照明計器に関する。
【背景技術】
【０００２】
従来の照明計器におけるメータ構造として、例えば、特許文献１に示すものが知られている。すなわち、アウタケース内に固定されるロアハウジング部材には、表面側に計器の文字板が配設されるとともに、その文字板の外周に、目盛部が形成されたリング状目盛部材が配設されている。
【０００３】
そして、ロアハウジング部材の文字板の周囲には、被係止部を備える環状溝部が円周方向に対し所定間隔をおいて形成されている。また、ロアハウジング部材の環状溝部に対応する部位、即ちリング状目盛部材の外周側に、被係止部に対し係止される係止爪部が一体に延設されている。
【０００４】
そして、文字板の周囲、即ち円周方向に部分的に形成された環状溝部において、被係止部と係止爪部とを環状溝部内で係止させることにより、リング状目盛部材を、文字板とともに、ロアハウジング部材に固定するように構成している。
【特許文献１】特開２００５−２０８０１２号公報
【発明の開示】
【発明が解決しようとする課題】
【０００５】
しかしながら、上記構成のメータ構造においては、被係止部と係止爪部とが円周方向に対し部分的に重ね合わせて係止する構造となっているため、リング状目盛部材の下端面から内部に光を導光させて、目盛部を照明させた場合には、導光させた光が係止爪部端で反射、屈折して可視範囲内に意図しないスポット光が見えるという不具合が発生する問題がある。
【０００６】
そこで、本発明の目的は、上記問題に鑑み、スポット光を可視範囲内に発生することがない照明計器を提供することにある。
【課題を解決するための手段】
【０００７】
本発明は上記目的を達成するために、以下の技術的手段を採用する。即ち請求項１に記載の発明では、メータケース（２）内の表面側に計器（１）の文字板（５）および指針（１０）が配設されて、この指針（１０）の外周に目盛部（１１ａ）が形成された目盛部材（１１）を配設すると共に、この目盛部材（１１）の下端面から円周方向に向けて導光するように光源（８ａ）を構成した照明計器において、
目盛部材（１１）には、目盛部（１１ａ）の裏面外周に沿って外方に突き出され、かつ略円弧状に繋がれたリブ（１１ｂ）が形成され、この略円弧状のリブ（１１ｂ）に結合されることにより、文字板（５）と目盛部材（１１）とを固定する構造部材（１２）が設けられ、この構造部材（１２）は、目盛部（１１ａ）の外方に突き出された略円弧状のリブ（１１ｂ）を包含するように形成されていることを特徴としている。
【０００８】
この発明によれば、略円弧状に繋がれたリブ（１１ｂ）によって、スポット光を運転席からの可視範囲内に発生することがない。
【０００９】
請求項２に記載の発明では、目盛部材（１１）および構造部材（１２）は、ともに樹脂材で形成され、かつ略円弧状のリブ（１１ｂ）を介して溶着接合されることを特徴としている。この発明によれば、文字板（５）と目盛部材（１１）とを容易に精度良く固定させることができる。
【００１０】
請求項３に記載の発明では、目盛部材（１１）および構造部材（１２）は、ともに樹脂材で形成され、かつ略円弧状のリブ（１１ｂ）を介して目盛部（１１ａ）と文字板（５）との位置決めができることを特徴としている。この発明によれば、文字板（５）の文字意匠部分と目盛部材（１１）の目盛部（１１ａ）とのずれが極めて少ない。精度の向上が図れる。
【００１１】
請求項４に記載の発明では、目盛部材（１１）は、全体形状が環状に形成されていることを特徴としている。この発明によれば、目盛部材（１１）および構造部材（１２）を簡素な形状で製造することができる。
【００１２】
請求項５に記載の発明では、目盛部材（１１）は、全体形状が略馬蹄形状に形成されていることを特徴としている。この発明によれば、目盛部材（１１）および構造部材（１２）を簡素な形状で製造することができる。
【００１３】
なお、上記各手段の括弧内の符号は、後述する実施形態の具体的手段との対応関係を示すものである。
【発明を実施するための最良の形態】
【００１４】
本実施形態の照明計器は、車速計、エンジン回転計、燃料計、水温計等の指針式計器から構成されるコンビネーションメータ装置と称される自動車用計器に適用される。特に、文字板もしくは指針の周囲に配設される目盛部材において、目盛部材の端面から円周方向に導光させる光源を有する指針式計器のメータ構造に適用される。
【００１５】
以下、本発明の一実施形態おける照明計器を、図１乃至図４に基づいて説明する。図１は、一実施形態おけるエンジン回転計を内蔵した照明計器の構成を示す縦断面図である。図２は、目盛部材とロアプレートとの組み合わせ状態を示す斜視図である。図３は、図２に示すＡ−Ａ断面図である。図４は、目盛部材の全体構成を示す斜視図である。
【００１６】
コンビネーションメータ装置１６のうち、アナログ計器であるエンジン回転計１が、図１に示すように、メータケースであるアウタケース２内に収納されている。なお、エンジン回転計１以外の指針式計器も、図１と同じように、略同一の構成でアウタケース２内に収納されている（他の指針式計器類の説明は省略する）。このアウタケース２内には、フロントカバー部材３、ロアハウジング部材４、文字板５、インナケース６、配線基板７、８、導光部材９等が収納されている。
【００１７】
フロントカバー部材３は、アウタケース２の前面の先端側に組み付けられる表ガラスであって、透明板からなる樹脂材等から形成されている。ロアハウジング部材４は、アウタケース２内に収納された各種計器を区画するためのフードであり、本実施形態では、車室内の運転席からエンジン回転計１に組み込まれた文字板５、指針１０、目盛部材１１を視認できるようになっている。
【００１８】
インナケース６は、アナログ計器に組み込まれる文字板５、指針１０、目盛部材１１を固定するための支持部材である。文字板５は、図示しない締結手段を介してインナケース６の前面側に配設するように取り付けられている。エンジン回転計１は、文字板５の前面側に指針１０を配置するように、後述する回路基板７に取り付けられる。
【００１９】
そして、指針１０の外周前面側には、目盛部材１１が配設されている。この目盛部材１１は、構造部材であるロアプレート１２と組み合わせて、文字板５の前面側に配設するようにインナケース６に取り付けられている。
【００２０】
そのため、目盛部材１１およびロアプレート１２は、図２および図３に示すように、それぞれの全体形状が略馬蹄形の帯状に形成し、目盛部材１１の裏面側にロアプレート１２を結合させた状態で文字板５の前面側に配設している。
【００２１】
具体的には、図４に示すように、目盛部材１１の表面側もしくは裏面側に、指針１０によって指し示される目盛部１１ａが形成されている。この目盛部１１ａは、文字板５に形成された文字意匠部分（後述する）と対応する円周方向の位置に形成されている。
【００２２】
そして、目盛部１１ａが形成された目盛部材１１の裏面外周に沿って外方に突き出された凸状のリブ１１ｂを形成し、その外方に突き出されたリブ１１ｂを包含する凹部１２ａをロアプレート１２に形成して二つの部品を組み合わせている。また、目盛部材１１およびロアプレート１２は、目盛部１１ａを内部から照明するため、透明の樹脂材で形成している。ロアプレート１２は、図示しない締結手段を介してインナケース６に取り付けられる。
【００２３】
ここで、目盛部材１１に形成するリブ１１ｂは、図４に示すように、目盛部１１ａ（目盛部材１１）の裏面外周に沿って、外方に突き出され、かつ略円弧状に連続的に繋がれて延設されるように形成されている。そして、このリブ１１ｂを、ロアプレート１２の凹部１２ａ内に嵌め入れて、リブ１１ｂを溶着接合することにより、目盛部材１１とロアプレート１２とが一体に結合される。これにより、ロアプレート１２が、図示しない締結手段を介してインナケース６に取り付けることによって、文字板５と目盛部材１１とが固定される。
【００２４】
ところで、運転席から視認できる可視範囲内に上記リブ１１ｂを形成する場合には、略円弧状に連続的に繋がれていることが望ましい。しかも、略円弧状のリブ１１ｂは、本実施形態のように、目盛部材１１から一体的に延設させることが望ましい。
【００２５】
本実施形態の文字板５には、指針１０の作動範囲（円周方向）内に図示しない文字意匠部分（例えば、エンジンの回転数を示す数字）と、その文字意匠部分の上方には、図示しない表示意匠部分（例えば、ウインカーなどの矢印表示）とが形成されている。そして、文字板５の文字意匠部分を照明するために、文字板５とインナケース６との間に、導光部材９を配置して、文字板５がインナケース６に取り付けられている。
【００２６】
そのため、インナケース６の後面側および導光部材９の下方には、それぞれの回路基板７、８が配設されている。インナケース６の後面側に配設される回路基板７には、エンジン回転計１を固定するための図示しない複数の係止孔が穿設されると共に、その係止孔に複数の固定端子が実装されている。更に、この回路基板７には、光源７ａが電気的に接続されている。この光源７ａは、文字板５に形成された表示意匠部分を裏面側から照明するための明かりである。
【００２７】
一方、導光部材９の下方に配設される回路基板８には、少なくとも二つの光源８ａ、８ｂが電気的に接続されている。一方の光源８ａは、目盛部材１１の下方に配設され、もう一方の光源８ｂは、導光部材９の下方に配設されている。いずれの光源８ａ、８ｂも、導光部材９もしくは目盛部材１１の端面から内部に導光させるための明かりである。
【００２８】
導光部材９は、光源８ｂの点灯によって、下端面から導光させて文字板５に形成された文字意匠部分を裏面側から照明するための部材である。そのため、導光部材９は、透明の樹脂製で形成されている。また、目盛部材１１は、光源８ａの点灯によって、下端面から円周方向に向けて導光させて、目盛部１１ａが主に照明される。
【００２９】
本実施形態では、目盛部材１１およびロアプレート１２は、全体形状を略馬蹄形の帯状に形成したが、これに限らず、リング（環）状に形成しても良い。これによれば、目盛部材１１およびロアプレート１２を簡素な形状で製造することができる。
【００３０】
次に、一実施形態の構成による照明計器の作用について説明する。コンビネーションメータ装置１６を組み立てる際、アウタケース２内に車速計、エンジン回転計１、燃料計、水温計等のアナログ計器を収納するとともに、インナケース６の表面側にアナログ計器（エンジン回転計１）に組み付けられた文字板５、指針１０、目盛部材１１等が組み付けられている。
【００３１】
目盛部材１１は、目盛部１１ａの裏面外周側に沿って外方に突き出され、かつ略円弧状に連続的に繋がれたリブ１１ｂが形成されるとともに、外方に突き出されたリブ１１ｂを包含するロアプレート１２を結合させている。そして、目盛部材１１の目盛部１１ａを内部から照明するために、目盛部材１１の下方に光源８ａを接続した回路基板８を配設した構成の照明計器が提案されている。
【００３２】
これによれば、リブ１１ｂが略円弧状に繋がっているため、目盛部材１１の下端面から導光させた光が反射もしくは屈折する端面が一切ない。これにより、スポット光を可視範囲内に発生させることもなく主に目盛部１１ａを照明することができる。
【００３３】
目盛部材１１に形成した略円弧状のリブ１１ｂを、ロアプレート１２の凹部１２ａに嵌め入れて、リブ１１ｂを溶着接合することにより、文字板５に形成された文字意匠部分と目盛部材１１に形成した目盛部１１ａとのずれが極めて少ない。これにより、文字板５と目盛部１１ａとの位置決めが容易にできるとともに、精度の向上が図れる。
【００３４】
（他の実施形態）
以上の一実施形態では、エンジン回転計、燃料計、水温計等の指針式計器から構成されるコンビネーションメータ装置１６に、照明計器を適用したものを示して説明してきたが、これに限らず、単独で使用される指針式計器の照明計器に適用しても良い。
【図面の簡単な説明】
【００３５】
【図１】一実施形態におけるエンジン回転計を内蔵した照明計器の構成を示す縦断面図である。
【図２】一実施形態における目盛部材とロアプレートとの組み合わせ状態を示す斜視図である。
【図３】図２に示すＡ−Ａ断面図である。
【図４】一実施形態における目盛部材の全体構成を示す斜視図である。
【符号の説明】
【００３６】
１…エンジン回転計（計器、アナログ計器）
２…アウタケース（メータケース）
５…文字板
８ａ…光源
１０…指針
１１…目盛部材
１１ａ…目盛部
１１ｂ…リブ
１２…ロアプレート（構造部材）
【図１】
2010078321.tif 000003
【図２】
2010078321.tif 000004
【図３】
2010078321.tif 000005
【図４】
2010078321.tif 000006